(57)【要約】      （修正有）【課題】例え細径の化粧料容器であっても、簡単な構造により、収容する粉末化粧料を塗布体に対して円滑に供給し、簡易かつ確実に塗布を行えるようにする。【解決手段】キャップ２、粉末化粧料５を収容する容器本体３、及び容器本体の３先端に保持され、表面にナイロン繊維８を静電植毛した発泡ウレタン７のパフ６とから構成されるものであって、その内部に粉末化粧料容器１の揺動に併せて振動を発生する振動装置１０を内設しているので、該振動装置により発生する振動によって、粉末化粧料の移動を容易にし、又、固まった粉末化粧料を微粒粉末に粉砕して粉末化粧料を塗布体に円滑に供給することによって、粉末化粧料を簡易かつ確実に塗布できる。【選択図】図１
2019080818.tif 000002
【特許請求の範囲】
【請求項１】
キャップ、容器本体、及び塗布体とから構成され、
該塗布体は、キャップ又は容器本体のいずれか一方において一体に取り付けられ、
該容器本体は、その内部に粉末化粧料を収容するとともに、該粉末化粧料を塗布体に対して供給するものであって、
該キャップ又は容器本体のいずれか一方の内部において、キャップ或いは容器本体のいずれか一方を、又は一体とするキャップと容器本体とを揺動させることによって振動を発生する振動装置を内設してなる
ことを特徴とする粉末化粧料容器。
【請求項２】
上記キャップ又は容器本体のいずれか一方の内部において内設する振動装置を、キャップ又は容器本体のいずれか一方の内部において空間を形成するとともに、該空間の内壁面に対して衝突自在となる重りを収納するものとする
ことを特徴とする請求項１に記載の化粧料容器。
【請求項３】
上記振動装置の重りを空間内において固定自在とする
ことを特徴とする請求項１又は２に記載の化粧料容器。
【発明の詳細な説明】
【技術分野】
【０００１】
本願発明は、例えばアイシャドウ、アイブロウ、コンシーラー、頬紅等の粉末化粧料（以下、「粉末化粧料」という。）を収容するとともに、塗布をも行うことができる粉末化粧料容器に関する。
【背景技術】
【０００２】
上記粉末化粧料を収容し、塗布をも行うことができる粉末化粧料容器には、粉末化粧料を収容する容器本体において、底壁に通過穴を穿設した中皿を装着するとともに、蓋体本体にパフを具えてなるもの（特許文献１参照）や、粉末化粧料を収容した容器本体に対して、その開口部に発泡ウレタンに静電植毛したパフを一体に取り付けてなるものがある（特許文献２参照）。
【０００３】
ここで、上記粉末化粧料容器において、底壁に通過穴を穿設した中皿を装着するとともに、蓋体本体にパフを具えてなるものは、化粧時に容器本体を上下左右方向に振動させることにより中皿の底壁に穿設した通過穴を通して粉末化粧料をパフに付着させて塗布をも行い、また、その開口部に発泡ウレタンに静電植毛したパフを一体に取り付けてなる粉末化粧料容器は、粉末化粧料を収容した容器本体を揺動し、又は容器本体と一体に取り付けられたパフに対して打突等の衝撃を与えることによって、該パフを通してその表面に粉末化粧料を表出させて塗布をも行うものである。
【０００４】
ところで、上記粉末化粧料容器では、粉末化粧料を収容する容器本体の直径を大径とするものが一般的である。すなわち、容器本体の直径を大径とすると容器本体内の空間は大きくなるので、収容する粉末化粧料は容易に移動可能となるとともに、その移動する粉末化粧料の量は多量となるので、該中皿の通過穴やパフをなす発泡ウレタンに多少粉末化粧料が詰まってしまっても粉末化粧料は容易に通過し、パフ表面に付着又は表出させることができるためである。
【０００５】
しかしながら、上記粉末化粧料容器にあっては、塗布部分の面積や外出先での化粧直しの観点から携帯する必要性が多いにもかかわらず、粉末化粧料容器を細径とするものはなかった。すなわち、該粉末化粧料容器の容器本体を細径化すると、容器本体内において粉末化粧料を収納する空間は狭くなるとともに、軸方向に長くなるので、容器本体を揺動させても粉末化粧料の移動は困難になるものである。その結果、中皿の通過穴を通してパフに付着させたり、又はパフに対して衝撃を与えることで該パフの表面に粉末化粧料を付着させ、或いは表出させることが困難になってしまうためである。
【０００６】
特に、油分を含む粉末化粧料にあっては少しの圧力であっても固まって目詰まりし易く、容器本体内に収容する粉末化粧料を移動させるために多少の揺動や衝撃を加えても、粉末化粧料の移動はより困難になるためである。
【先行技術文献】
【特許文献】
【０００７】
【特許文献１】特開２００６−３３３９２３号公報
【特許文献２】特許第４４７５４７４号公報
【発明の概要】
【発明が解決しようとする課題】
【０００８】
そこで、例え細径の粉末化粧料容器であっても、簡単な構造により、その内部に収容する粉末化粧料の移動を容易にし、粉末化粧料を塗布体へ円滑に供給しつつその表面に付着又は表出させることによって、簡易且つ確実に粉末化粧料の塗布を行えるようにするものである。
【課題を解決するための手段】
【０００９】
第１の特徴として、
キャップ、容器本体、及び塗布体とから構成され、
該塗布体は、キャップ又は容器本体のいずれか一方において一体に取り付けられ、
該容器本体は、その内部に粉末化粧料を収容するとともに、該粉末化粧料を塗布体に対して供給するものであって、
該キャップ又は容器本体のいずれか一方の内部において、キャップ或いは容器本体のいずれか一方を、又は一体とするキャップと容器本体とを揺動させることによって振動を発生する振動装置を内設してなるものである。
【００１０】
そのため、粉末化粧料容器が細径であること、又は粉末化粧料が固まってしまうことにより粉末化粧料の移動が困難となり、粉末化粧料が塗布体へ円滑に供給されなくなってしまっても、キャップ或いは容器本体のいずれか一方を、又は一体とするキャップと容器本体とを揺動させることによって、キャップ又は容器本体のいずれか一方の内部において内設する振動装置が振動を発生して粉末化粧料の移動を促進し、又は固まってしまった粉末化粧料を微粒粉末に粉砕するものとなる。その結果、容器本体内の粉末化粧料の塗布体に対する供給を円滑にするので、簡易且つ確実に粉末化粧料を塗布することができるものとなる。
【００１１】
第１の特徴を踏まえて、第２の特徴として、
上記キャップ又は容器本体のいずれか一方の内部において内設する振動装置を、キャップ又は容器本体のいずれか一方の内部において空間を形成するとともに、該空間の内壁面に対して衝突自在となる重りを収納するものである。
【００１２】
そのため、キャップ或いは容器本体のいずれか一方を、又は一体とするキャップと容器本体とを揺動させることによって、キャップ又は容器本体のいずれか一方の内部において形成される振動装置の空間内に収納されている重りが該空間の内壁面に衝突して振動を発生するものとなる。その結果、該振動装置の発生する振動によって、粉末化粧料の移動を促進し、又は固まってしまった粉末化粧料を微粒粉末に粉砕するものとなる。その結果、容器本体内の粉末化粧料の塗布体に対する供給を円滑にするので、簡易且つ確実に粉末化粧料を塗布することができるものとなる。
【００１３】
第１の特徴又は第２の特徴を踏まえて、第３の特徴として、
上記振動装置の重りを空間内において固定自在とするものである。
【００１４】
そのため、例えば外出時に携行し、粉末化粧料容器が揺動しても、キャップ又は容器本体のいずれか一方の内部において内設される振動装置の空間内において収納される重りは固定されているので、該振動装置の空間の内壁面への衝突を防ぐものとなる。その結果、上記粉末化粧料が過剰に塗布体に対して供給されることがなく、さらに重りの衝突時の騒音を防止するので、外出時の細径化された粉末化粧料容器のデザイン性及び携行性を向上させることができるものとなる。
【発明の効果】
【００１５】
本願発明は、粉末化粧料容器を構成するキャップ又は容器本体のいずれか一方の内部において内設する振動装置の振動により、粉末化粧料の移動の促進、及び固まってしまった粉末化粧料の微粒粉末への粉砕することによって塗布体への供給を円滑にするので、例え細径化された粉末化粧料容器であっても、簡易かつ確実に粉末化粧料の塗布を行うことができるとともに、しかも粉末化粧料を最後まで使い尽くし、さらにデザイン性及び携帯性をも向上させることができる優れた効果を有するものである。
【図面の簡単な説明】
【００１６】
【図１】図１は、本願発明の実施例１の粉末化粧料容器の全体縦断面図である。
【図２】図２は、本願発明の実施例１の粉末化粧料容器を構成する容器本体の使用時における全体縦断面図である。
【図３】図３は、本願発明の実施例２の粉末化粧料容器の全体縦断面図である。
【図４】図４は、本願発明の実施例２の粉末化粧料容器を構成する容器本体の使用時における全体縦断面図である。
【図５】図５は、本願発明の実施例３の粉末化粧料容器の全体縦断面図及びＡ−Ａ横断面図である。
【図６】図６は、本願発明の実施例３の粉末化粧料容器を構成する容器本体の使用時における全体縦断面図及びＡ’−Ａ’横断面図である。
【図７】図７は、本願発明の実施例４の粉末化粧料容器の全体縦断面図である。
【図８】図８は、本願発明の実施例４の粉末化粧料容器を構成するキャップ及び容器本体の分解縦断面図である。
【図９】図９は、本願発明の実施例５の粉末化粧料容器の全体縦断面図である。
【図１０】図１０は、本願発明の実施例５の粉末化粧料容器を構成するキャップ及び容器本体の分解縦断面図である。
【発明を実施するための形態】
【００１７】
粉末化粧料容器を構成するキャップ又は容器本体のいずれか一方に内設する振動装置の発生する振動により容器本体内に収容される粉末化粧料の移動を容易として、塗布体に対し粉末化粧料を円滑に供給し、簡易かつ確実に塗布できるようにするものである。
【実施例１】
【００１８】
図１及び図２において示すのは、本願発明の実施例１である粉末化粧料容器１であり、該粉末化粧料容器１は、キャップ２、容器本体３、及び塗布体であるパフ６から構成されるものであって、キャップ２は容器本体３と互いの凹、凸周縁の嵌合によって脱着自在に固持されるものである。
【００１９】
ここで、該容器本体３は、容器本体３の先端において先筒９を介し、内側に発泡ウレタン７を、その外側には静電植毛したナイロン繊維８を配するパフ６を容器本体３の開口部４を被覆するように保持するとともに、その内部において該パフ６に対して供給する粉末化粧料５を収容するものである。そのため、容器本体３内に収容される粉末化粧料５は、パフ６を形成する内側の発泡ウレタン７を通して外側に配されるナイロン繊維８に表出するので、簡易かつ確実に粉末化粧料５を塗布することができるものである。
【００２０】
そして、該容器本体３の内部において、粉末化粧料容器１の揺動に応じて振動を発生させる振動装置１０を内設してなるものである。
【００２１】
上記振動装置１０は、容器本体３内において、容器本体３の底部側より一体に嵌着され、内底部の中央に柱部１２を一体に形成する尾栓１１と、容器本体３内に収容される粉末化粧料５と区画するように一体に内装される中蓋１３とから形成される空間１５と、該空間１５において尾栓１１又は中蓋１３に衝突自在となるように、尾栓１１に形成された柱部１２に対して粉末化粧料容器１の揺動に併せて摺動自在に移動し、衝突するように保持される円筒状の重り１４とからなるものである。
【００２２】
以上のように本願発明の実施例１である粉末化粧料容器１は構成されるので、該粉末化粧料容器１によって、粉末化粧料５の塗布を行おうとする場合には次のようにするものである。
まず、上記粉末化粧料容器１を揺動させることにより、容器本体３内に内設する振動装置１０が作動することになる。すなわち、容器本体３の底部側より嵌着された尾栓１１に一体に形成する柱部１２に保持される円筒状の重り１４が、粉末化粧料容器１の揺動に併せて該柱部１２に沿って摺動して空間１５を形成する尾栓１１と中蓋１３とに衝突して振動を発生するものとなる。
その結果、上記振動装置１０によって発生した振動により容器本体３内に収容する粉末化粧料５が容器本体３内を容易に移動し、又は固まってしまった粉末化粧料５であっても微粒粉末に粉砕するので、粉末化粧料５はパフ６の内側に配された発泡ウレタン７に詰まることなく円滑に移動し、パフの外側に配されるナイロン繊維８に表出するものとなる。
従って、粉末化粧料容器１が細径化され、又は圧迫等により粉末化粧料５が固まってしまっても、簡易かつ確実に粉末化粧料５を塗布することができるものである。
【００２３】
また、例えパフ６の発泡ウレタン７に粉末化粧料５が詰まってしまっても、粉末化粧料容器１の揺動によって容器本体３内に内設される振動装置１０の振動が発泡ウレタン７詰まっていた粉末化粧料の移動を促進させて円滑に通過させるので、塗布体６の外側に配するナイロン繊維８に対して粉末化粧料５は容易に表出することができるものである。
【実施例２】
【００２４】
図３及び図４において示すのは、本願発明の実施例２である粉末化粧料容器１ａであり、粉末化粧料容器１ａは、実施例１と同様に、キャップ２ａ、容器本体３ａ、及び塗布体であるパフ６ａから構成されるものであって、キャップ２ａは容器本体３ａと互いの凹、凸周縁の嵌合によって脱着自在に固持されるものである。
【００２５】
さらに、実施例１と同様に、該容器本体３ａは、容器本体３ａの先端に先筒９ａを介して、内側に発泡ウレタン７ａを、その外側には静電植毛したナイロン繊維８ａを配するパフ６ａを容器本体３ａの開口部４ａを被覆するように保持するとともに、その内部において該パフ６ａに対して供給する粉末化粧料５ａを収容するものである。
そのため、容器本体３ａ内に収容される粉末化粧料５ａは、パフ６ａを形成する内側の発泡ウレタン７ａを通して外側に配されるナイロン繊維８ａに表出するので、肌などに対して粉末化粧料５ａを塗布できるものである。
【００２６】
そして、該容器本体３ａの内部には、実施例１と同様に、粉末化粧料容器１ａの揺動に応じて振動を発生させる振動装置１０ａを内設されるものであって、該振動装置１０ａは、実施例１と同様に、容器本体３ａ内において、容器本体３ａの底部側より一体に嵌着され、内底部の中央に柱部１２ａを一体に形成する尾栓１１ａと、容器本体３ａ内に収容される粉末化粧料５ａと区画するように一体に内装される中蓋１３ａとから形成される空間１５ａと、該空間１５ａにおいて尾栓１１ａ又は中蓋１３ａに衝突自在となるように、尾栓１１ａに形成された柱部１２ａに対して粉末化粧料容器１ａの軸方向への揺動に併せて摺動自在に移動し、衝突するように保持される円筒状の重り１４ａとからなるものである。
【００２７】
しかしながら、本願発明の実施例２である粉末化粧料容器１ａは、キャップ２ａ内にパフ６ａの先端を容器本体３ａの開口部４ａ方向へ凹状に押圧する円柱状の押圧突起１６が立設されている点で、実施例１の粉末化粧料容器１とは相違するものである。
【００２８】
以上のように本願発明の実施例２である粉末化粧料容器１ａは構成されるので、該粉末化粧料容器１ａによって、粉末化粧料５ａの塗布を行おうとする場合には、実施例１である粉末化粧料容器１と同様に、次のようにするものである。
まず、上記粉末化粧料容器１ａを揺動させることにより、容器本体３ａ内に内設する振動装置１０ａが作動することになる。すなわち、容器本体３ａの底部側より嵌着された尾栓１１ａに一体に形成する柱部１２ａに摺動自在に保持される円筒状の重り１４ａが粉末化粧料容器１ａの揺動に併せて、該柱部１２ａに沿って摺動して空間１５ａを形成する尾栓１１ａと中蓋１３ａとに衝突して振動を発生するものとなる。
その結果、上記振動装置１０ａによって発生した振動により容器本体３ａ内に収容する粉末化粧料５ａが容器本体３ａ内を容易に移動し、又は固まってしまった粉末化粧料５ａであっても微粒粉末に粉砕するので、粉末化粧料５ａはパフ６ａの内側に配された発泡ウレタン７ａに詰まることなく円滑に移動し、パフ６ａの外側に配されるナイロン繊維８に表出するものとなる。
従って、粉末化粧料容器１ａが細径化され、又は圧迫により粉末化粧料５ａが固まってしまっても、簡易かつ確実に粉末化粧料５ａを塗布できるものである。
【００２９】
また、例えパフ６ａの発泡ウレタン７ａに粉末化粧料５ａが詰まってしまっていても、実施例１と同様に、粉末化粧料容器１ａを揺動することによって容器本体３ａ内に内設される振動装置１０ａの振動が発泡ウレタン７ａに詰まっていた粉末化粧料５ａの移動を促進し円滑に通過させるので、パフ６ａの外側に配するナイロン繊維８ａに対して粉末化粧料５ａは容易に表出することができるものである。
【００３０】
その上、不使用時には、容器本体３ａに対してキャップ２ａを一体に固持させることによって、該キャップ２ａ内において立設される押圧突起１６がパフ６ａを容器本体３ａの開口部４ａ方向へ凹状に押圧して該開口部４ａを封止するものとなる。
その結果、容器本体３ａ内の粉末化粧料５ａのパフ６ａへの供給が阻止されるので、過剰な粉末化粧料５ａがパフ６ａをなす外側のナイロン繊維８ａに対して表出してしまうことを防止できるものでもある。
【実施例３】
【００３１】
図５及び図６において示すのは、本願発明の実施例３である粉末化粧料容器１ｂであり、該粉末化粧料容器１ｂは、実施例１及び２と同様に、キャップ２ｂ、容器本体３ｂ、及び塗布体６ｂとから構成されるものであって、キャップ２ｂは容器本体３ｂと互いの凹、凸周縁の嵌合によって脱着自在に固持されるものである。
なお、本実施例の粉末化粧料容器１ｂにおける塗布体である６ｂは筆である点で、実施例１及び２の塗布体であるパフ６、６ａとは相違しているものである。
【００３２】
さらに、実施例１及び２と同様に、該容器本体３ｂは、容器本体３ｂの先端に先筒９ｂを介して、筆６ｂを容器本体３ｂの開口部４ｂを被覆するように保持するとともに、その内部において該筆６ｂに対して供給する粉末化粧料５ｂを収容するものである。
そのため、容器本体３ｂ内に収容される粉末化粧料５ｂは筆６ｂに表出するので、肌などに対して粉末化粧料５ｂを塗布することができるものである。
【００３３】
そして、該容器本体３ｂの内部において、実施例１及び２の粉末化粧料容器１、１ａと同様に、粉末化粧料容器１ｂの揺動に応じて振動を発生させる振動装置１０ｂを内設されるものであって、該振動装置１０ｂは、実施例１及び２と同様に、該容器本体３ｂ内において、容器本体３ｂの底部側より一体に嵌着され、内底部に柱部１２ｂを一体に形成する尾栓１１ｂと、容器本体３ｂ内に収容される粉末化粧料５ｂと区画するように一体に内装される中蓋１３ｂとから形成される空間１５ｂと、該空間１５ｂにおいて尾栓１１ｂ又は中蓋１３ｂに衝突自在となるように、尾栓１１ｂに形成された柱部１２ｂに対して粉末化粧料容器１ｂの軸方向への揺動に併せて摺動自在に移動し、衝突するように保持される円筒状の重り１４ｂとからなるものである。
【００３４】
しかしながら、本願発明の実施例３の振動装置１０ｂでは、円筒状の重り１４ｂが摺動自在に保持される柱部１２ｂは尾栓１１ｂの中央より偏った位置に一体に形成されるとともに、該重り１４ｂの表面に螺旋状の溝１４ｂ’が刻設され、中蓋１３ｂには延設された脚部１３ｂ’の内周において、重り１４ｂの表面に刻設され、尾栓１１ｂの回転によって噛合自在となる係止突縁１３ｂ”が周設されている。
その結果、尾栓１１ｂの回転に併せて柱部１２ｂが尾栓１１ｂの中央より偏った位置で回転するので、重り１４ｂの表面の溝１４ｂ’と中蓋１３ｂの脚部１３ｂ’における係止突縁１３ｂ”とは噛合自在となるものである。
従って、尾栓１１ｂを回転させることによって、重り１４ｂの表面の溝１４ｂ’と中蓋１３ｂの脚部１３ｂ’における係止突縁１３ｂ”とを噛合させることによって中蓋１３ｂと重り１４ｂとは一体となるので、粉末化粧料容器１ｂが揺動しても、該重り１４ｂが摺動して尾栓１１ｂ又は中蓋１３ｂと衝突することがなくなり、振動装置１０ｂからの振動の発生を阻止できるものである。
【００３５】
以上のように本願発明の実施例３である粉末化粧料容器１ｂは構成されるので、該粉末化粧料容器１ｂによって、粉末化粧料５ｂの塗布を行おうとする場合には、次のようにするものである。
まず、上記粉末化粧料容器１ｂを構成する容器本体３ｂの尾栓１１ｂを回転させると、尾栓１１ｂに形成された柱部１２ｂは係止突縁１３ｂ”から離れる方向に移動するので、一体に固定されている該中蓋１３ｂの脚部１３ｂ’の係止突縁１３ｂ”と重り１４ｂの溝１４ｂ’との噛合が解除され、該重り１４ｂは柱部１２ｂに対して摺動自在となるものである。
その上で、実施例１及び２と同様に、上記粉末化粧料容器１ｂを揺動することにより、容器本体３ｂ内に内設する振動装置１０ｂが作動することになる。すなわち、容器本体３ｂの底部側より嵌着された尾栓１１ｂに一体に形成された柱部１２ｂに保持される円筒状の重り１４ｂが粉末化粧料容器１ｂの揺動に併せて、該柱部１２ｂに沿って摺動して空間１５ｂを形成する尾栓１１ｂ又は中蓋１３ｂに衝突して振動を発生するものとなる。
その結果、上記振動装置１０ｂによって発生した振動により容器本体３ｂ内に収容する粉末化粧料５ｂが容器本体３ｂ内を容易に移動し、又は固まってしまった粉末化粧料５ｂであっても微粒粉末に粉砕するので、粉末化粧料５ｂは筆６ｂに表出するものとなる。
従って、粉末化粧料容器１ｂが細径化されて粉末化粧料５ｂが容易に移動できなくなり、又は圧迫により粉末化粧料５ｂが固まってしまっても、簡易かつ確実に粉末化粧料５ｂを塗布することができるものである。
【００３６】
また、使用後は、再度尾栓１１ｂを逆方向へ回転させることにより、尾栓１１ｂの柱部１２ｂに保持される円筒状の重り１４ｂの溝１４ｂ’と、中蓋１３ｂの脚部１３ｂ’に周設される係止突縁１３ｂ”とが噛合するものとなる。
その結果、該重り１４ｂは柱部１２ｂに対して摺動することなく固定されるので、携帯時において粉末化粧料容器１ｂが揺動しても振動装置１０ｂの重り１４ｂは尾栓１１ｂ又は中蓋１３ｂと衝突することはなくなり、筆６ｂに対して粉末化粧料５ｂが過剰に供給されなくなるとともに、振動装置１０ｂの振動発生時の騒音をも防止できるものである。
【実施例４】
【００３７】
図７及び図８において示すのは、本願発明の実施例４である粉末化粧料容器１ｃであり、該粉末化粧料容器１ｃは、キャップ２ｃ、容器本体３ｃ、及び塗布体であるパフ６ｃから構成されるものであって、キャップ２ｃは容器本体３ｃと互いの凹、凸周縁の嵌合によって脱着自在に固持されるものである。
【００３８】
ここで、該キャップ２ｃは、キャップ２ｃにおいて先筒９ｃを介しつつその内部の中芯１７を被覆するように、内側に発泡ウレタン７ｃを、その外側には静電植毛したナイロン繊維８ｃを配するパフ６ｃを保持するものである。
また、該容器本体３ｃは、その内部において底部に通過穴１９を複数穿設した中栓１８により該パフ６ｃに対して供給する粉末化粧料５ｃを密封しつつ収容するものである。そのため、容器本体３ｃ内に収容される粉末化粧料５ｃは、該容器本体３ｃ内で粉末化粧料５ｃを密封する中栓１８の通過穴１９を通してパフ６ｃの外側に配されるナイロン繊維８ｃに付着するので、肌などに対して粉末化粧料５ｃを塗布するものである。
【００３９】
そして、実施例４は実施例１乃至３とは相違して、該キャップ２ｃの内部において、粉末化粧料容器１ｃの揺動によって振動を発生させる振動装置１０ｃを内設してなるものである。
【００４０】
上記振動装置１０ｃは、キャップ２ｃの先筒９ｃ内において、底部側から一体に嵌着される中蓋１３ｃと、先筒９ｃ内に内装される中芯１７とから形成される空間１５ｃと、該空間１５ｃにおいて中蓋１３ｃ及び中芯１７に衝突自在となるように保持される球状の重り１４ｃとからなるものである。
【００４１】
以上のように本願発明の実施例４である粉末化粧料容器１ｃは構成されるので、該粉末化粧料容器１ｃによって、粉末化粧料５ｃの塗布を行おうとする場合には次のようにするものである。
まず、上記粉末化粧料容器１ｃを揺動することにより、キャップ２ｃの先筒９ｃ内に内設する振動装置１０ｃが作動することになる。すなわち、先筒９ｃ内の空間１５ｃに保持された球状の重り１４ｃが、粉末化粧料容器１ｃの揺動に併せて、中蓋１３ｃと中芯１７とに衝突して振動を発生するものとなる。
その結果、上記振動装置１０ｃによって発生した振動により容器本体３ｃ内に収容する粉末化粧料５ｃが容器本体３ｃ内を容易に移動し、又は固まってしまった粉末化粧料５ｃであっても微粒粉末に粉砕するので、粉末化粧料５ｃは中栓１８に穿設された通過穴１９に詰まることなく円滑に通過し、パフ６ｃの外側に配されるナイロン繊維８ｃに付着するものとなる。
従って、粉末化粧料容器１ｃが細径化され、又は圧迫により粉末化粧料５ｃが固まってしまっても、簡易かつ確実に粉末化粧料５ｃを塗布することができるものである。
【００４２】
また、例え容器本体３ｃの中栓１８の通過穴１９に対して粉末化粧料５ｃが詰まってしまっても、粉末化粧料容器１ｃの揺動によって、該通過穴１９に詰まっていた粉末化粧料５ｃは振動装置１０ｃの振動で微粒粉末となって円滑に通過し、パフ６ｃの外側に配されるナイロン繊維８ｃ表面に容易に付着させることができるものである。
【実施例５】
【００４３】
図９及び図１０において示すのは、本願発明の実施例５である粉末化粧料容器１ｄであり、該粉末化粧料容器１ｄは、実施例４と同様に、キャップ２ｄ、容器本体３ｄ、及び塗布体であるパフ６ｄとから構成されるものであって、該キャップ２ｄは該容器本体３ｄと互いのネジの螺合によって脱着自在に固持されるものである。
【００４４】
ここで、該キャップ２ｄは、実施例４と同様に、キャップ２ｄにおいて先筒９ｄを介して、発泡材７ｄからなるパフ６ｄを保持するものである。
また、該容器本体３ｄは、その上面において通過穴１９ｄを複数穿設し、パフ６ｄに対して供給する粉末化粧料５ｄを中蓋１３ｄにより密封しつつ収容するものである。そのため、容器本体３ｄ内に収容される粉末化粧料５ｄは、該容器本体３ｄの上面の通過穴１９ｄを通してパフ６ｄに付着するので、肌などに対して粉末化粧料５ｄを塗布することができるものである。
【００４５】
しかしながら、実施例５は実施例４と相違して、該容器本体３ｄの内部において、粉末化粧料容器１ｄの揺動によって振動を発生させる振動装置１０ｄを内設してなるものである。
【００４６】
上記振動装置１０ｄは、容器本体３ｄ内において、粉末化粧料５ｄを密閉する中蓋１３ｄと後端側より嵌着される尾栓１１ｄとで形成される空間１５ｄと、該空間１５ｄ内において、尾栓１１ｄ又は中蓋１３ｄに対して粉末化粧料容器１ｄの揺動に併せて衝突自在に保持される球状の重り１４ｄとからなるものである。
【００４７】
以上のように本願発明の実施例５である粉末化粧料容器１ｄは構成されるので、該粉末化粧料容器１ｄによって、粉末化粧料５ｄの塗布を行おうとする場合には次のようにするものである。
まず、上記粉末化粧料容器１ｄを揺動することにより、容器本体３ｄ内に内設する振動装置１０ｄが作動することになる。すなわち、容器本体３ｄ内の空間１５ｄに保持された球状の重り１４ｄが、粉末化粧料容器１ｄの揺動に併せて、尾栓１１ｄと中蓋１３ｄとに衝突することによって振動を発生するものとなる。
その結果、上記振動装置９ｄにより発生した振動により容器本体３ｄ内に収容する粉末化粧料５ｄが容器本体３ｄ内を容易に移動し、又は固まってしまった粉末化粧料５ｄであっても微粒粉末に粉砕するので、粉末化粧料５ｄは容器本体３ｄの上面において穿設された通過穴１９ｄに詰まることなく円滑に通過し、パフ６ｄに付着するものとなる。
従って、粉末化粧料容器１ｄが細径化され、又は圧迫により粉末化粧料５ｄが固まってしまっても、簡易かつ確実に粉末化粧料５ｄを塗布することができるものである。
【００４８】
また、例え容器本体３ｄの上面に穿設した通過穴１９ｄに対して粉末化粧料５ｄが詰まってしまっても、粉末化粧料容器１ｄの揺動によって、該通過穴１９ｄに詰まっていた粉末化粧料５ｄは振動装置１０ｄの発生する振動で微粒粉末となって円滑に通過し、パフ６ｄに容易に付着させることができるものとなる。
【符号の説明】
【００４９】
１、１ａ、１ｂ、１ｃ、１ｄ    粉末化粧料容器
２、２ａ、２ｂ、２ｃ、２ｄ    キャップ
３、３ａ、３ｂ、３ｃ、３ｄ    容器本体
４、４ａ、４ｂ    開口部
５、５ａ、５ｂ、５ｃ、５ｄ    粉末化粧料
６、６ａ、６ｃ、６ｄ    パフ
６ｂ    筆
７、７ａ、７ｃ    発泡ウレタン
７ｄ    発泡材
８、８ａ、８ｃ    ナイロン繊維
９、９ａ、９ｂ、９ｃ、９ｄ    先筒
１０、１０ａ、１０ｂ、１０ｃ、１０ｄ    振動装置
１１、１１ａ、１１ｂ、１１ｄ    尾栓
１２、１２ａ、１２ｂ    柱部
１３、１３ａ、１３ｂ、１３ｃ、１３ｄ    中蓋
１３ｂ’    脚部
１３ｂ”    係止突縁
１４、１４ａ、１４ｂ、１４ｃ、１４ｄ    重り
１４ｂ’    溝
１５、１５ａ、１５ｂ、１５ｃ、１５ｄ    空間
１６    押圧突起
１７    中芯
１８    中栓
１９、１９ｄ    通過穴
【図１】
2019080818.tif 000003
【図２】
2019080818.tif 000004
【図３】
2019080818.tif 000005
【図４】
2019080818.tif 000006
【図５】
2019080818.tif 000007
【図６】
2019080818.tif 000008
【図７】
2019080818.tif 000009
【図８】
2019080818.tif 000010
【図９】
2019080818.tif 000011
【図１０】
2019080818.tif 000012
【手続補正書】
【提出日】平成29年11月1日(2017.11.1)
【手続補正１】
【補正対象書類名】図面
【補正対象項目名】図１
【補正方法】変更
【補正の内容】
【図１】
2019080818.tif 000013
【手続補正書】
【提出日】平成29年11月1日(2017.11.1)
【手続補正１】
【補正対象書類名】特許請求の範囲
【補正対象項目名】全文
【補正方法】変更
【補正の内容】
【特許請求の範囲】
【請求項１】
キャップ、容器本体、及び塗布体とから構成され、
該塗布体は、キャップ又は容器本体のいずれか一方において一体に取り付けられ、
該容器本体は、その内部に粉末化粧料を収容するとともに、該粉末化粧料を塗布体に対して供給するものであって、
該キャップ又は容器本体のいずれか一方の内部において、キャップ或いは容器本体のいずれか一方を、又は一体とするキャップと容器本体とを揺動させることによって振動を発生する振動装置を内設してなる
ことを特徴とする粉末化粧料容器。
【請求項２】
上記キャップ又は容器本体のいずれか一方の内部において内設する振動装置を、キャップ又は容器本体のいずれか一方の内部において空間を形成するとともに、該空間の内壁面に対して衝突自在となる重りを収納するものとする
ことを特徴とする請求項１に記載の粉末化粧料容器。
【請求項３】
上記振動装置の重りを空間内において固定自在とする
ことを特徴とする請求項１又は２に記載の粉末化粧料容器。